(57)【要約】      （修正有）【課題】ピッキング表示器を用いて部品のピッキング作業をおこなう際に生じていた、作業者による部品の取り違い等のヒューマンエラーの発生を防げるような部品棚ピッキング表示器を提供すること。【解決手段】さまざまの部品が仕分けされた部品棚に夫々取り付けて、作業者に押し釦ＬＥＤが点灯または点滅することでピッキングする部品を指示する部品棚ピッキング表示器であって、該表示器にスポットライトＬＥＤを追加し、作業者に部品を取り出す指示を与える際に該スポットライトＬＥＤで取り出す部品を照射するようにした。【選択図】図１
2006347670.tif 000002
【特許請求の範囲】
【請求項１】
部品のピッキング作業の際に、様々の部品が仕分けされた部品棚にそれぞれ取り付けて、作業者に、押しボタンＬＥＤが点灯または点滅することでピッキングする部品を指示し、また数を表示することでピッキングする部品数を指示する表示器であって、
ピッキングする部品にスポットライトを照射して、作業者にピッキングを指示するためのスポットライトＬＥＤを備えることを特徴とする表示器。
【請求項２】
前記スポットライトＬＥＤと前記押しボタンＬＥＤは直列接続し、該二つのＬＥＤは同期して動作することを特徴とする請求項１記載の表示器。
【請求項３】
部品のピッキング作業の際に、様々の部品が仕分けされた部品棚にそれぞれ取り付けて作業者にピッキングする部品を指示する表示器であって、
ピッキングする部品にスポットライトを照射するライトを備えることを特徴とする表示器。
【発明の詳細な説明】
【技術分野】
【０００１】
本発明は、様々な部品が仕分けされた部品棚から必要な部品をピッキングする作業を行う際に用いられる表示器に関する。
【背景技術】
【０００２】
各種部品を取り扱う現場では、必要な時に必要な部品を必要な数だけ各部品棚から取り出すために、各棚に表示器を取り付けて、この表示器で指示するようにしている。また、このような表示器は近年の通信ネットワーク技術の発達により、ネットワークで複数台接続され制御されるようになっている。
【０００３】
表示器制御に使用されるネットワークは様々のものがあるが、特許文献１では、ヨーロッパ規格としてのＥＮ規格（ＥＮ５０２９５）およびＩＥＣ規格（ＩＥＣ６２０２６−２）で規定されたオープンネットワークであるアクチュエータセンサインターフェース（Actuator Sensor interface:  ＡＳ−ｉ）を使用した部品棚ピッキング表示器について開示している。
【０００４】
図４に特許文献１に開示された表示器を示す。図４（ａ）はその外観を示したものである。表示器は、主に照光押しボタン５と７セグメントＬＥＤ４とから構成されている。照光押しボタン５は、該ボタンが光ることで作業者がピッキングする部品であることを示し、作業者は部品をピッキングすると、そのボタンを押して部品を取り出しが完了したことを明示する。また、７セグメントＬＥＤ４は、該セグメントによってピッキングする部品の数を示す。図４（ｂ）はその内部構造を示したものである。表示器のベース１にＡＳ−ｉのケーブル３がコネクタを介して接続している。また、ベース１とプリント板１０は接続ピン９によって接続し、プリント板１０の上に照光押しボタン５と７セグメントＬＥＤ４が配置されている。そして、カバー２がかけられ、プリント板１０の配線等を覆っている。制御盤などから指示命令が出されると、該指示はＡＳ−ｉケーブル３を介してプリント板１０に伝達され、それに基づいて照光押しボタン５や７セグメントＬＥＤ４が点灯、消灯などのオン、オフ動作する。
【０００５】
当該表示器は図６に例示するような部品棚に取り付けられて使用される。取り付けの仕方としては、図５に示すような方法がある。図５（ａ）は、ネジで取り付けする例で、ねじ部穴７にベース固定ねじ８を挿入し、平面取り付けする例を示したものである。また、図５（ｂ）は、束線バンドで固定する例で、円柱棒などに取り付けが可能である。
【０００６】
以上のような表示器を部品棚（図６）に取り付け、制御盤などへの配線を行うと図７に示すようなシステムが構築される。ここで例えば、部品Ａを２個、部品Ｆを３個ピッキングする必要が生じた場合、部品棚ＡとＦの照光押しボタン５を点灯もしくは点滅させてピッキングする部品を作業者に指示するとともに、７セグメントＬＥＤ４によってピッキングする個数を表示する。作業者は必要な部品を必要な個数ピッキングした後、照光押しボタン５を押してピッキングしたことを制御盤に通知し、作業を完了する。
【０００７】
ところで、従来の部品棚ピッキング表示器は、ピッキングする部品に対応する部品棚に取り付けられた表示器の照光押しボタン５を点灯もしくは点滅することで作業者に指示していた。しかし、例えば図７の部品Ｆのピッキングをさせる意味で照光押しボタン５を点灯させても、間違って部品Ｅを取り出してしまう、という問題があった。つまり、表示器の下の部品をピッキングすべきところを間違って表示器の上の部品をピッキングしてしまうという問題があった。
【特許文献１】特開２００３−４０６２２１号公報
【発明の開示】
【発明が解決しようとする課題】
【０００８】
そこで本発明の課題は、従来の部品棚ピッキング表示器を用いて部品のピッキング作業を行う際に生じていた部品の取り違いなどの作業者のヒューマンエラーの発生を防ぐような表示器を提供することにある。
【課題を解決するための手段】
【０００９】
上述した課題を解決するために、本発明では、従来の部品棚ピッキング表示器にスポットライトＬＥＤを追加し、作業者に部品を取り出す指示を与える際に該スポットライトＬＥＤで取り出す部品を照射し、目立つようにした。
【００１０】
本発明は、部品のピッキング作業の際に、様々の部品が仕分けされた部品棚にそれぞれ取り付けて、作業者に押しボタンＬＥＤが点灯または点滅することでピッキングする部品を指示し、また数を表示することでピッキングする部品数を指示する表示器であって、ピッキングする部品にスポットライトを照射して、作業者にピッキングを指示するためのスポットライトＬＥＤを備えることを特徴とする。これにより、作業者にはピッキングする部品そのものがスポットライトで強調されて指示されるため、作業者は部品の取り間違いを防ぐことが可能である。
【００１１】
また、前記スポットライトＬＥＤと前記押しボタンＬＥＤは直列接続し、該二つのＬＥＤは同期して動作することを特徴とする。これにより、スポットライトでピッキングされる部品が照射されるので作業者がピッキング作業における部品のとり違いを防ぐことができ、更に作業者が指示された部品のピッキングが完了した際に押しボタンＬＥＤを押すことで作業完了が明示でき、それによって押しボタンＬＥＤとスポットライトＬＥＤのどちらも消灯することが可能である。そして作業者は次の作業にスムーズに移ることが可能である。
【００１２】
本発明は、部品のピッキング作業の際に、様々の部品が仕分けされた部品棚にそれぞれ取り付けて作業者にピッキングする部品を指示する表示器であって、ピッキングする部品にスポットライトを照射するライトを備えることを特徴とする。これにより、作業者にはピッキングする部品そのものがスポットライトで強調されて指示されるため、作業者は確実に指定された部品を取り出すことが可能である。
【発明の効果】
【００１３】
本発明によれば、照光押しボタンの照光が点灯（または点滅）し、かつ作業者が部品棚からピッキングする部品をスポットライトで照射して指示するため、作業者による部品の取り違いを防ぐことが可能となり、効率のよいピッキング作業を進めることが可能となる。
【発明を実施するための最良の形態】
【００１４】
以下、図面を参照して、本発明の実施の形態について説明する。
図１に本発明の一実施例を示す。図１（ａ）はその外観図を示し、図１（ｂ）はその内部構造を示すものである。従来の表示器と同じ機能部分については図４と同じ番号を付してある。ここでは従来の表示器と同じ部分についての説明は省略する。図１と図４の大きな違いは、本発明の表示器にはスポットライトＬＥＤ１１を備えていることである。このスポットライトＬＥＤ１１は表示器側面から照射するように取り付けてあり、図１（ｂ）のように表示器内部のプリント板１０に実装されている。
【００１５】
図２に、図１に示した表示器の回路構成を示す。表示器、すなわち部品棚ピッキング表示器ＡＳ−ｉスレーブ２０の回路はスレーブ主回路２１、入力回路２２、出力回路２３、照光押しボタン５(ＬＥＤ)、スポットライトＬＥＤ１１が図に示したように接続する。ここで注目すべきは照光押しボタン５（ＬＥＤ）とスポットライトＬＥＤ１１が直列接続して出力回路２３に接続されていることである。これにより、照光押しボタン５とスポットライトＬＥＤ１１は同期して点灯したり消灯したりすることになる。
【００１６】
図２の表示器を図６のような部品棚に取り付け、従来の表示器と同様に制御盤などと配線を行い、図３に示すようなシステムを構築する。そして、例えば、部品Ａと部品Ｆを取り出す必要が生じた場合、照光押しボタン５（ＬＥＤ）が点灯または点滅してピッキングする部品を作業者に指示するだけでなく、取り出す部品Ａと部品ＦがスポットライトＬＥＤ１１で照射されるようになる。そして、作業者が部品Ａと部品Ｆを取り出し、照光押しボタンを５押して作業が終わったことを明示すると、照光押しボタン５とスポットライトＬＥＤ１１の両方のＬＥＤが消灯する。
【００１７】
以上のように本発明の部品棚ピッキング表示器について詳細に説明した。従来、照光押しボタンのみで取り出す部品を指示していたが、本発明により、部品棚からピッキングする部品を照光押しボタンの点灯（もしくは点滅）及びスポットライトで照射して指示するため作業者による部品の取り違いを防ぐことが可能となり、効率のよいピッキング作業を進めることが可能となる。
【００１８】
以上、本発明の部品棚ピッキング表示器について詳細に説明したが、本発明は以上に述べたことに限定されるものではない。すなわち、本発明の要旨を逸脱しない範囲で様々の構成、または形状をつくることができることはいうまでもない。
【図面の簡単な説明】
【００１９】
【図１】本発明の一実施例を示す図であり、（ａ）は本発明の一実施例の外観を示す図で、（ｂ）は本発明の一実施例の内部構造を示す図である。
【図２】本発明の一実施例の回路図を示す図である。
【図３】本発明の一実施例の動作例を示す図である。
【図４】従来の部品棚ピッキング表示器を示す図であり、（ａ）は外観を示す図で、（ｂ）は内部構造を示す図である。
【図５】従来の表示器の取付説明図を示す図で、（ａ）はねじ留めによる取り付けを示し、（ｂ）は束線バンドによる取り付けを示している。
【図６】部品棚の一例を示す図である。
【図７】従来の表示器のシステム構成例を示す図である。
【符号の説明】
【００２０】
１      ベース
２      カバー
３      ＡＳ−ｉケーブル
４      ７セグメントＬＥＤ
５      照光押しボタン（ＬＥＤ）
６      本体取り付けねじ
７      ねじ部穴
８      ベース固定ねじ
９      接続ピン
１０      プリント板
１１      スポットライトＬＥＤ
２０      部品棚ピッキング表示器ＡＳ−ｉスレーブ
２１      スレーブ主回路
２２      入力回路
２３      出力回路
【図２】
2006347670.tif 000003
【図６】
2006347670.tif 000004
【図１】
2006347670.tif 000005
【図３】
2006347670.tif 000006
【図４】
2006347670.tif 000007
【図５】
2006347670.tif 000008
【図７】
2006347670.tif 000009